(57)【特許請求の範囲】
【請求項１】
山留切梁工法を採る開削工事における掘削土砂の運搬方法において、可撓性部材からなるベルト本体の両側縁部にワイヤロープを取付けたフレームレスタイプのコンベヤを用い、該コンベヤを、切梁の数スパン毎に、ベルト支持構造物により切梁に吊り下げ支持し、積込み装置により前記コンベヤの積込みホッパーまで運搬した土砂を該コンベヤにより揚土積出し場まで水平運搬することを特徴とする山留切梁工法を採開削工事における掘削土砂の運搬方法。
【請求項２】
積込み装置としてフレームタイプのベルトコンベヤを用い、該コンベヤを掘削レベルに応じて、フレームレスタイプのコンベヤの積込み位置を支点とし旋回し、掘削土砂を積込み位置まで運搬することを特徴とする請求項１に記載の山留切梁工法を採る開削工事における掘削土砂の運搬方法。
【請求項３】
山留切梁工法を採る開削工事における掘削土砂の運搬装置において、可撓性部材からなるベルト本体の両側縁部にワイヤロープを取付けたフレームレスタイプのコンベヤを、切梁の数スパン毎に、ベルト支持構造物により切梁に吊り下げ支持してなることを特徴とする山留切梁工法を採る開削工事における掘削土砂の運搬装置。
【請求項４】
ベルト支持構造物は、山留切梁に着脱自在に取付けられる吊り金具及び該吊り金具に設けられたキャリヤローラからなるものであることを特徴とする請求項３に記載の山留切梁工法を採る開削工事における掘削土砂の運搬装置。
【発明の詳細な説明】
【０００１】
【発明の属する技術分野】
本発明は、山留切梁工法を採る開削工事における掘削土砂の運搬方法及び装置に関する。
【０００２】
【従来の技術】
山留切梁工法を採る開削工事において、地上部の任意の場所から掘削土砂を揚土できない場合、揚土ポイントまで掘削土砂を運搬する必要がある。
【０００３】
この場合、従来工法では、狭隘な空間では小型バックホーによるリレーや、小型ブルドーザーでの押土、クローラーダンプ、ポータブルコンベヤ等による運搬等、大変面倒で、かつ山留鋼材等との接触による挟まれ事故の危険性が大きい作業を必要としている。
【０００４】
又、適当な長さの従来型フレームタイプのベルトコンベヤを用いようとすると、山留鋼材との干渉が著しく、狭隘な空間での段取り替えが不可能なため、採用は困難であった。
【０００５】
【発明が解決しようとする課題】
従って、本発明は、山留切梁工法を採る開削工事において、狭隘な空間でも、能率良く、且つ、安全に揚土ポイントまで掘削土砂を運搬することのできる掘削土砂の運搬方法及び装置を提供することを目的とするものである。
【０００６】
また、本発明は、狭隘な空間でも、掘削深度の増大に伴い容易に段取り替えを行え得る掘削土砂の運搬方法及び装置を提供することも目的とするものである。
【０００７】
【課題を解決するための手段】
本発明は、それ自体公知である、可撓性部材からなるベルト本体の両側縁部にワイヤロープを取付けたフレームレスタイプのコンベヤは、フレームタイプのベルトコンベヤに比べ、自在性が高いことに着目してなされたもので、該コンベヤを、切梁の数スパン毎に、ベルト支持構造物により切梁に吊り下げ支持して、山留切梁工法を採る細長い開削工事における掘削土砂の運搬を行う。
【０００８】
ベルト支持構造物としたは、フレームレスタイプのコンベヤのベルトを支持するキャリアローラからなるものとするのが好適である。
【０００９】
また、本発明の実施に際しては、積込み装置はフレームタイプのベルトコンベヤとし、該コンベヤは、掘削レベルに応じて、フレームレスタイプのコンベヤの積込みホッパーの位置を支点とし旋回するものとする。
【００１０】
積込み装置、例えば、フレームタイプのベルトコンベヤによりフレームレスタイプのコンベヤの積込みホッパーまで運搬した掘削土砂を、該コンベヤにより積出し場まで水平運搬する。その際、フレームレスタイプのコンベヤのベルトは、切梁の数スパン毎に、ベルト支持構造物により支持されて走行する。
【００１２】
さらに掘削レベルが深くなるに従い、掘削の進行に合せ、腹起こし鋼材、切梁は順次深さ方向に増設されて行くが、本発明におけるフレームレスタイプコンベヤは、次の段の切梁を架設する直前に現在取付けられている切梁から簡便に取り外され、次の段の切梁架設後、直ちに簡便に次段の切梁に取付けられる。以下、切梁の架設に応じ順次深いレベルに移設する。
【００１３】
このフレームレスコンベヤは切梁への吊り下げ構造が着脱自在に工夫されているだけでなく、切梁数スパル毎に吊り下げ支持されているだけであり、下段切梁への移設が簡便に行える。
【００１４】
【発明の実施の形態】
図９は、本発明において使用されるフレームレスタイプのコンベヤを示し、該コンベヤ１は、本出願人の出願に係る特開平９ー４０１３３号公報に見られるように、金網、布、剛性ゴム等の可撓性部材から成るベルト本体２の両側縁部に吊り具３を介してワイヤロープ４を取付けたものである。
【００１５】
前記の公報のものにおいては、コンベヤ１は、適宜の間隔で設置した支柱１２に設けた上下ローラ１３、１４で挟持され、駆動部（図示せず）であるヘッド部とベルト本体を反転させるテール部（図示せず）間を走行する。
【００１６】
図１乃至図５は、山留切梁工法を採る細長い開削工事における掘削土砂の運搬に、前記のフレームレスタイプのコンベヤ１を使用した例を示し、所定の間隔を隔てて並行に、連続して打設された山留鋼材Ｙ（その一方のみが示されている）間に、所定の間隔を隔て、腹起こし鋼材Ｋを介してＨ型鋼からなる山留切梁Ｈが設けられている。図２に示すように順次下方の切梁Ｈ１〜Ｈ４を設置できる。
【００１７】
前記の切梁Ｈの数スパン毎、図示の例では、３スパン毎に前記のフレームレスタイプのコンベヤ１がベルト支持構造物５により吊り下げ支持されていて、駆動部であるヘッド部６とベルトを反転させるテール部７間を走行する。
【００１８】
ベルト支持構造物５、５の中間部では、図５の中央部に示すように、ベルト本体２が半円弧状を呈し、ベルト支持構造物５の所では、皿状となっている。
【００１９】
図６及び図７は、支持構造物５の詳細を示し、切梁Ｈに着脱自在に取付られる吊り金具８及びその吊り金具８に設けられた複数のキャリヤローラ９からなるものであり、図示の例では、３個のキャリヤローラ９を並列したものがコンベヤ１の走行方向に４列設けられている。
【００２０】
支持構造物５において、コンベヤ１のベルト２は、キャリヤローラ９により支持され、支持構造物５、５の中間部における半円弧状から皿状となる。
【００２１】
図８は積込み装置を示し、積込み装置は、従来型のフレームタイプのベルトコンベヤ１１からなり、そのコンベヤ１１を掘削レベルに応じて、フレームレスタイプのコンベヤ１の積込みホッパー１０の位置を支点Ｓとし旋回し、直交又は傾交する形で配置する。また、掘削場所の前進に応じ、順次移動する。このベルトコンベヤ１１のブームは地盤上のフィダー部等で支持されており、フレームレスコンベヤ１の高さに合せてブーム高さを調整するのがよい。なお図８のホッパー１０Ａは鉛直輸送装置への受入れホッパーを示している。
【００２２】
掘削レベルが深くなり、図２に示すように、切梁Ｈの増設するに合わせて、吊り金具８を切梁Ｈから外し、フレームレスタイプのコンベヤ１を順次深いレベルに移設する。
【００２３】
【発明の効果】
本発明は、次の優れた効果を奏するものである。
（１）  積込ホッパーまでのわずかな土砂移動だけですみ、積出し場までの横方向への土砂移動はフレームレスタイプのコンベヤで運搬できるため、狭隘な空間での重機の移動作業が極めて少なくなり、安全性、経済性で有利である。
（２）  積込ホッパーまでの積込み装置（ベルトコンベヤ）は掘削場所の進展に合わせて簡単に移設できるる。
（３）  フレームレスタイプのコンベヤはフレームタイプのベルトコンベヤに比べて、切梁に抱かせたベルト支持部にのみ構造物があり、その他一般部はベルト本体のみで、自在性が高く、掘削レベルの変更に応じた鉛直方向の移設が簡便にできる。即ち、３スパン程度毎にベルト支持構造物があるだけであり、その構造物の着脱のみで移設でこる。
（４）  一般に必要な土砂運搬量に対して、ベルト幅５００ｍｍ程度のフレームレスタイプのコンベヤで運搬可能である。また、ベルト本体は切梁に吊り下げた形式であり、コンベヤの空間占有領域もわずかである。
【図面の簡単な説明】
【図１】山留切梁工法を採る細長い開削工事における掘削土砂の運搬に供されるコンベヤの全体側面図。
【図２】山留切梁工法を採る細長い開削工事における掘削土砂の運搬に供されるコンベヤを掘削レベルの変更に応じて鉛直方向の移設する態様を示す正面図。
【図３】山留切梁工法を採る細長い開削工事における掘削土砂の運搬に供されるコンベヤの部分側面図。
【図４】、山留切梁工法を採る細長い開削工事における掘削土砂の運搬に供されるコンベヤの部分平面図。
【図５】図４の各部の断面正面図を示し、右側はベルト支持構造物の所をそして中間は図４の中間部をそれぞれ示している。
【図６】ベルト支持構造物の詳細正面図。
【図７】ベルト支持構造物の詳細側面図。
【図８】積込み装置の側面図。
【図９】フレームレスタイプのコンベヤの斜視図。
【符号の説明】
１・・・フレームレスタイプのコンベヤ
２・・・ベルト本体
３・・・吊り具
４・・・ワイヤロープ
５・・・ベルト支持構造物
６・・・ヘッド部
７・・・テール部
８・・・吊り構造物
９・・・キャリヤローラ
１０・・・ホッパ
１１・・・積込みコンベヤ
【図１】
0003969555.tif 000002
【図２】
0003969555.tif 000003
【図３】
0003969555.tif 000004
【図４】
0003969555.tif 000005
【図５】
0003969555.tif 000006
【図６】
0003969555.tif 000007
【図７】
0003969555.tif 000008
【図８】
0003969555.tif 000009
【図９】
0003969555.tif 000010